(57)【要約】【課題】缶体を簡便に包装できる包装具を提供する。【解決手段】高さ方向に延びる円筒状の缶胴部Ｋ１を互いに当接させて横方向に並べた２つの缶体Ｋの外周に装着することにより両缶体Ｋを包装する環状の紙製の包装具１である。包装具１は、横方向に延びて、２つの缶体Ｋの外周に密着する帯部１０を有する。帯部１０の内周寸法は、下端において両缶胴部Ｋ１の外周以上であるとともに、該下端より上側において、該外周未満に形成されている。【選択図】図１
2018030596.tif 000002
【特許請求の範囲】
【請求項１】
高さ方向に延びる円筒状の缶胴部を互いに当接させて横方向に並べた２つの缶体の外周に装着することにより両缶体を包装する環状の紙製の包装具であって、
横方向に延びて、２つの缶体の外周に密着する帯部を有し、
前記帯部の内周寸法は、下端において両缶胴部の外周以上であるとともに、該下端より上側において、該外周未満に形成されていることを特徴とする包装具。
【請求項２】
請求項１記載の包装具であって、
前記帯部の上縁に設けられ、前記高さ方向及び前記横方向に交差する方向に延びて、缶胴部の上端において天蓋を巻締める巻締め部を係止する舌片を備えることを特徴とする包装具。
【請求項３】
請求項２記載の包装具であって、
前記舌片は、前記帯部の上縁に対向して一対設けられ、前記帯部と２つの缶体とによって形成される隙間を覆う形状に形成されていることを特徴とする包装具。
【請求項４】
請求項２または３に記載の包装具であって、
前記舌片は、帯部の上縁に折目線を介して設けられ、
前記帯部、または、帯部及び舌片には、高さ方向に延びて包装具を扁平に折り畳むための折目線が少なくとも一対設けられていることを特徴とする包装具。
【請求項５】
請求項２乃至４のいずれか１項に記載の包装具であって、
帯部に高さ方向に延びて設けられ、該帯部を上縁から下縁にわたって帯状に破断するための帯状破断部を有し、
前記舌片の下端と、前記帯状破断部の上端とが連設されていることを特徴とする包装具。
【請求項６】
請求項１乃至５のいずれか１項に記載の包装具であって、
前記帯部は、表示部を有することを特徴とする包装具。
【発明の詳細な説明】
【技術分野】
【０００１】
本発明は、缶体を包装する包装具に関する。
【背景技術】
【０００２】
缶ビール、缶ジュースなどの缶体を、複数本ごとにまとめて収容して、展示及び持ち運びさせる包装具が求められている。
【０００３】
この種の包装具として、従来、両側端を開口した箱体の底板及び天板の両端部に、半円形状に形成した離脱防止用の舌片を折り曲げ自在に連続させ、前記離脱防止用の舌片が、底板及び天板の両端部の裏面側に当接するよう折り曲げた缶類の包装具が知られている（特許文献１参照）。
【０００４】
かかる包装具によって缶体を包装するときには、缶体が収納されたラップアラウンド式の段ボール箱を開梱して上半部を取り除き、缶体を取り出して前記箱体の両側端から夫々挿入して、舌片を折り返して缶体を係止する。
【先行技術文献】
【特許文献】
【０００５】
【特許文献１】特開平７−１０１４５９号公報
【発明の概要】
【発明が解決しようとする課題】
【０００６】
しかしながら、上記包装具では、缶体を１個ずつ段ボール箱から取り出して、包装具の左右から夫々挿入する必要があるので、包装作業に手間かがかるという不都合がある。
【０００７】
上記の点に鑑み、本発明は、缶体を簡便に包装できる包装具を提供することを目的とする。
【課題を解決するための手段】
【０００８】
かかる目的を達成するために、本発明の包装具は、高さ方向に延びる円筒状の缶胴部を互いに当接させて横方向に並べた２つの缶体の外周に装着することにより両缶体を包装する環状の紙製の包装具であって、横方向に延びて、２つの缶体の外周に密着する帯部を有し、前記帯部の内周寸法は、下端において両缶胴部の外周以上であるとともに、該下端より上側において、該外周未満に形成されていることを特徴とする。
【０００９】
本発明の包装具において、前記帯部の内周寸法は、下端において前記両缶胴部の外周以上であるので、缶胴部を互いに当接させて横方向に並べた２つの缶体を、２本まとめて下端から挿入することができる。そして、帯部の内周寸法は、該下端より上側において、該外周未満に形成されているため、２つの缶体を下端から挿入していくと、缶体は帯部によって締めつけられて挟持される。
【００１０】
したがって、本発明の包装具によれば、ラップアラウンド式の段ボール箱の下半部に整列された缶体に対して、上から被せることで装着することができるので、缶体を１個ずつ段ボール箱から取り出す手間が省略できるので、簡便に包装することができる。
【００１１】
また、本発明の包装具において、前記帯部の上縁に設けられ、前記高さ方向及び前記横方向に交差する方向に延びて、缶胴部の上端において天蓋を巻締める巻締め部を係止する舌片を備えることが好ましい。
【００１２】
これによれば、帯部に挟持された缶体は舌片によっても係止されるので、帯部に挟持された缶体が、包装具から外れることを確実に防止できる。
【００１３】
また、本発明の包装具において、前記舌片は、前記帯部の上縁に対向して一対設けられ、前記帯部と２つの缶体とによって形成される隙間を覆う形状に形成されていることが好ましい。
【００１４】
これによれば、前記帯部と２つの缶体とによって形成される隙間に塵埃が侵入することを防止できる。
【００１５】
また、本発明の包装具において、前記舌片は、帯部の上縁に折目線を介して設けられ、前記帯部、または、帯部及び舌片には、高さ方向に延びて包装具を扁平に折り畳むための折目線が少なくとも一対設けられていることが好ましい。
【００１６】
これによれば、使用の前後において、包装具を扁平にすることができるため、輸送又は廃棄の際に嵩張ることがない。
【００１７】
また、本発明の包装具において、帯部に高さ方向に延びて設けられ、該帯部を上縁から下縁にわたって帯状に破断するための帯状破断部を有し、前記舌片の下端と、前記帯状破断部の上端とが連設されていることが好ましい。
【００１８】
これによれば、缶体を包装して、展示・持ち運んだ後において、舌片をもって下方に引っ張ることで、包装を解いて缶体を取り出すことができる。
【００１９】
また、本発明の包装具において、前記帯部は、表示部を有することが好ましい。
【００２０】
これによれば、２つの缶体の缶胴部の外周を覆う帯部に設けた表示部に商品案内やイラスト等を表示することができ、意匠性の向上や販売促進効果の向上を図ることができる。
【図面の簡単な説明】
【００２１】
【図１】本発明の包装具の一実施形態を示す斜視図。
【図２】図１の包装具の展開図。
【図３Ａ】図１の包装具による包装工程を示す第１の斜視図。
【図３Ｂ】図１の包装具による包装工程を示す第２の斜視図。
【図３Ｃ】図１の包装具による包装工程を示す第３の斜視図。
【図３Ｄ】図１による包装具の包装工程を示す第４の斜視図
【図４】図１の包装具のＩＶ−ＩＶ線断面を示した断面図。
【図５】図１の包装具の平面図。
【発明を実施するための形態】
【００２２】
本発明の一実施形態を図面に基づいて説明する。
【００２３】
本実施形態の包装具１は、図１に示すように、２本の缶体Ｋの外周に装着することにより両缶体を包装するものである。具体的には、２本の缶体Ｋを、高さ方向に延びる円筒状の缶胴部Ｋ１を互いに当接させた状態で横方向に並べて、包装具１を装着させる。
【００２４】
包装具１は、横方向に延びて、缶胴部Ｋ１の外周に密着して巻きつけられたリング状の帯部１０を備える。帯部１０は、高さ方向において、缶胴部Ｋ１の半分以上全部以下の長さに形成されている。そして、帯部１０の外側面は、文字やイラスト等を施すための表示部１１となっている。
【００２５】
帯部１０の上縁には、水平方向に延びる一対の舌片２０，２０が設けられている。舌片２０，２０は、缶体Ｋの缶胴部Ｋ１の上端において天蓋Ｋ２を巻締める巻締め部Ｋ３を夫々係止する。
【００２６】
帯部１０には、高さ方向に延びて、該帯部１０を上縁から下縁にわたって帯状に破断するための帯状破断部１２が形成されている。帯状破断部１２は、一端が内側に屈曲する複数の切れ目によって構成される所謂ジッパーによって形成されている。この帯状破断部１２の上端は、舌片２０の下端と連設されている。
【００２７】
包装具１は、図２に示すように、大略矩形状に打ち抜かれた板紙２から組み立てられる。なお、図２は板紙２の裏面を示している。
【００２８】
板紙２は、大略矩形状の帯部１０と、帯部１０の上縁に谷折り可能な折目線ａを介して連設された大略等脚台形状の舌片２０，２０とを備えている。
【００２９】
帯部１０は、上縁より下縁の方が長く形成されて、緩やかな扇形状になっている。具体的には、包装具１を平面視小判形状として説明すると、横に並べた缶胴部Ｋ１，Ｋ１の外周に対して、帯部１０の内周寸法は、下端において該外周以上、下端より上側において該外周未満に形成されている。
【００３０】
また、帯部１０の左側縁には、境界線ｂを介して接着片１３が連設されている。包装具１を形成する際には、接着片１３の外側面を帯部１０の右側縁の内側面に接着することで、図１に示す環状の帯部１０が形成される。
【００３１】
舌片２０は、大略等脚台形状であり、台形の脚が巻締め部Ｋ３の外周に沿うように内側に湾曲して弧状になっている。
【００３２】
板紙２は、高さ方向（図２の上下方向）に沿って、谷折り可能な折目線ｃ、ｃが設けられている。折目線ｃ，ｃは、各舌片２０の左右方向の中心を通って、舌片２０の上縁から、帯部１０の下縁まで延びている。
【００３３】
次に、図３Ａ乃至図３Ｄを参照して、包装具１を用いて缶体Ｋを包装する手順について説明する。
【００３４】
まず、図３Ａに示すように、缶胴部を互いに当接させた状態で２つの缶体を横方向に並べておく。この点、缶体が収納されたラップアラウンド式の段ボール箱を開梱して上半部を取り除いたものは、段ボール箱の下半部に、缶体が縦横に整列されて収納されているので、そのまま包装具１による包装作業を行うことができる。
【００３５】
包装具１は、包装する前においては、折目線ｃ，ｃで折り曲げることで扁平にすることができる。そこで、図３Ｂに示すように、外側面から折目線ｃ，ｃ近傍を中心軸方向に両側から押すことで、包装具１を環状に回復させる。
【００３６】
次に、図３Ｂ及び図３Ｃに示すように、包装具１の下端側から缶体を挿入していく。
【００３７】
さらに、図３Ｄに示すように、帯部１０の上端が缶胴部Ｋ１の上端を超える位置まで、包装具１を下方に押し下げていく。
【００３８】
次に、図３Ｄに示すように、舌片２０，２０を折目線ａ，ａで内側に夫々折り曲げる（図３Ｄの矢印方向）。そして、図４に示すように、舌片２０，２０を、缶胴部Ｋ１の上端において天蓋Ｋ２を巻締める巻締め部Ｋ３に係止する。
【００３９】
なお、巻締め部Ｋ３の上端付近に舌片２０を配置することで、舌片２０が天蓋Ｋ２の下端によって掛止されるようにしてもよい。
【００４０】
以上で、図１に示すように、包装具１を用いた缶体Ｋの包装が完了する。
【００４１】
上記本実施形態の包装具１は、以下の作用効果を有する。すなわち、本実施形態の包装具１は、使用の前後において、包装具を扁平にすることができるため、輸送又は廃棄の際に嵩張ることがない。
【００４２】
また、本実施形態の包装具１は、ラップアラウンド式の段ボール箱の下半部に整列された缶体Ｋに対して、上から被せることで装着することができる。したがって、缶体Ｋを１個ずつ段ボール箱から取り出す手間が省略できるので、簡便に包装することができる。
【００４３】
このとき、図４で示すように、帯部１０の下端の内周は、両缶胴部Ｋ１，Ｋ１の外周以上に形成されているため、包装具１は両缶体Ｋを容易に挿入することができる。また、図４で示すように、帯部１０の下端より上側の内周は、両缶胴部Ｋ１，Ｋ１の外周未満に形成されているため、包装具１は両缶体Ｋに密着して該缶体Ｋを挟持することができる。
【００４４】
さらに、本実施形態の包装具１は、舌片２０，２０によっても缶体Ｋを係止できるので、缶体Ｋの保持を確実にできる。また、図５に示すように、舌片２０，２０は巻締め部Ｋ３の外周に沿うよう形状になっているため、帯部１０と両缶体Ｋ，Ｋとによって形成される隙間に塵埃が侵入することを防止できる。
【００４５】
また、本実施形態の包装具１は、帯部に表示部が設けられているため、商品案内やイラスト等を表示することができ、意匠性の向上や販売促進効果の向上を図ることができる。特に、本実施形態の包装具１では、帯部１０の高さ方向の幅を、缶胴部Ｋ１の半分以上全部以下の長さに形成しているため、表示部を大きく取ることができるとともに、缶体Ｋに密着する範囲を増やして挟持力を向上させることができる。
【００４６】
また、本実施形態の包装具１は、舌片２０の一方の下端に連設され帯部１０を縦断する帯状破断部１２を有しているため、缶体を包装して、展示・持ち運んだ後において、舌片２０をもって下方に引っ張ることで、包装を解いて缶体を簡単に取り出すことができる。
【００４７】
なお、本実施形態では、帯部１０は、上下縁が略直線上のものとして説明したが、本発明はこれに限られることなく、帯状破断部１２で破断しやすいように上縁を波状やジグザク状にしてもよく、缶体Ｋを挿入しやすいように下縁を波状やジグザク状にしても良い。
【００４８】
また、本実施形態では、舌片２０は帯部１０の上縁に対向して一対設けられたものを説明したが、本発明はこれに限られることなく、帯部の上縁に鼓形状舌片が１個設けられ、対向する該上縁に架け渡されるようにしても良い。
【００４９】
また、本実施形態では表示部１１は、帯部１０の外周面に設けられたものを説明したが、本発明はこれに限られることなく、帯状破断部１２の内周面に設けてくじ引きとすることもできる。
【００５０】
また、本実施形態では折目線ｃは、各舌片２０の左右方向の中心を通るものを説明したが、本発明はこれに限られることなく、左右方向に対称であればこれに限られず、また、折目線ｃを増やすことで、さらに折りたたみ可能にすることもできる。
【００５１】
また、本発明の包装具１においては、帯状破断部１２、舌片２０、折目線ｃを省略することもできる。
【符号の説明】
【００５２】
１…包装具、１０…帯部、１１…表示部、１２…帯状破断部、２０…舌片、ａ…折目線、ｃ…折目線、Ｋ…缶体、ｋ１…缶胴部、Ｋ２…天蓋、Ｋ３…巻締め部。
【図１】
2018030596.tif 000003
【図２】
2018030596.tif 000004
【図３Ａ】
2018030596.tif 000005
【図３Ｂ】
2018030596.tif 000006
【図３Ｃ】
2018030596.tif 000007
【図３Ｄ】
2018030596.tif 000008
【図４】
2018030596.tif 000009
【図５】
2018030596.tif 000010